(57)【要約】【課題】諸収差を良好に補正して優れた光学性能を得ることができるズームレンズ系を得る。【解決手段】正の第１レンズ群と、負の第２レンズ群と、正の第３レンズ群とからなり、ワイド端からテレ端への変倍に際し、第１レンズ群と第２レンズ群の間隔が増加し、第２レンズ群と第３レンズ群の間隔が減少するように、少なくとも第１レンズ群と第３レンズ群が移動し、第１レンズ群は、正レンズと、負レンズと、正レンズとからなり、次の条件式（１）、（６）を満足するズームレンズ系。（１）−５．５＜ｆ１／ｆ２＜−４．５（６）２．６＜ｆ１／ｆ３＜３．３但し、ｆ１：第１レンズ群の焦点距離、ｆ２：第２レンズ群の焦点距離、ｆ３：第３レンズ群の焦点距離。【選択図】図１
2020008882.tif 000002
【特許請求の範囲】
【請求項１】
物体側から順に、正の屈折力の第１レンズ群と、負の屈折力の第２レンズ群と、正の屈折力の第３レンズ群とからなること；
短焦点距離端から長焦点距離端への変倍に際し、第１レンズ群と第２レンズ群の間隔が増加し、第２レンズ群と第３レンズ群の間隔が減少するように、少なくとも第１レンズ群と第３レンズ群が移動すること；
第１レンズ群は、物体側から順に、正レンズと、負レンズと、正レンズとからなること；及び
次の条件式（１）、（６）を満足すること；
を特徴とするズームレンズ系。
（１）−５．５＜ｆ１／ｆ２＜−４．５
（６）２．６＜ｆ１／ｆ３＜３．３
但し、
ｆ１：第１レンズ群の焦点距離、
ｆ２：第２レンズ群の焦点距離、
ｆ３：第３レンズ群の焦点距離。
【請求項２】
第３レンズ群は、物体側から順に、正の屈折力の第３ａレンズ群と、負の屈折力の第３ｂレンズ群とからなり、
第３ａレンズ群は、１枚または２枚の正レンズと、正レンズと負レンズの接合レンズとからなり、
次の条件式（２）を満足する、
ことを特徴とする請求項１に記載のズームレンズ系。
（２）−０．４＜ｆ３ａ／ｆ３ｂ＜−０．０１
但し、
ｆ３ａ：第３ａレンズ群の焦点距離、
ｆ３ｂ：第３ｂレンズ群の焦点距離。
【請求項３】
第３ａレンズ群は、正単レンズを含み、
次の条件式（３）を満足する、
ことを特徴とする請求項２に記載のズームレンズ系。
（３）Ｎｄ３ｐ１＞Ｎｄ３ｐｂ
但し、
Ｎｄ３ｐ１：第３ａレンズ群中の正単レンズのうち物体側に位置する正単レンズのｄ線に対する屈折率、
Ｎｄ３ｐｂ：第３ａレンズ群中の接合レンズの正レンズのｄ線に対する屈折率。
【請求項４】
第３ａレンズ群は、２枚の正単レンズを含み、
次の条件式（４）を満足する、
ことを特徴とする請求項２又は請求項３に記載のズームレンズ系。
（４）Ｎｄ３ｐ１＞Ｎｄ３ｐ２
但し、
Ｎｄ３ｐ１：第３ａレンズ群中の２枚の正単レンズのうち物体側に位置する正単レンズのｄ線に対する屈折率、
Ｎｄ３ｐ２：第３ａレンズ群中の２枚の正単レンズのうち像側に位置する正単レンズのｄ線に対する屈折率。
【請求項５】
次の条件式（５）を満足する、
ことを特徴とする請求項２から請求項４のいずれかに記載のズームレンズ系。
（５）νｄ３ｐ＞８０
但し、
νｄ３ｐ：第３ａレンズ群中の少なくともいずれかの正レンズのｄ線に対するアッベ数。
【発明の詳細な説明】
【技術分野】
【０００１】
本発明は、ズームレンズ系、例えば、デジタルカメラ等の撮像機器に用いて好適な望遠ズームレンズ系に関する。
【背景技術】
【０００２】
デジタルカメラ等の撮像機器に用いられる光学系には、より安価でかつ高性能であることが求められている。望遠ズームレンズ系としては、正の屈折力の第１レンズ群と、負の屈折力の第２レンズ群と、全体として正の屈折力を持つ後続レンズ群とから構成されたものがよく用いられる。
【０００３】
例えば、特許文献１−３には、正の屈折力の第１レンズ群と、負の屈折力の第２レンズ群と、正の屈折力の第３レンズ群とからなる３群ズームレンズ系が開示されている。正負正の３群ズームレンズ系は、簡易な構成で安価な光学系に適している。
【先行技術文献】
【特許文献】
【０００４】
【特許文献１】特開昭６１−８３５１４号公報
【特許文献２】特開２００８−１２２７７５号公報
【特許文献３】特開２０１３−１１６４１号公報
【発明の概要】
【発明が解決しようとする課題】
【０００５】
しかし、特許文献１のズームレンズ系は、球面収差やコマ収差が大きいため十分な光学性能が得られていない。また、特許文献２のズームレンズ系は、コマ収差の補正が不十分であるため十分な光学性能が得られていない。さらに、特許文献３のズームレンズ系は、色収差が大きいため十分な光学性能が得られていない。
【０００６】
本発明は、以上の問題意識に基づいてなされたものであり、諸収差を良好に補正して優れた光学性能を得ることができるズームレンズ系を得ることを目的とする。
【課題を解決するための手段】
【０００７】
本発明のズームレンズ系は、物体側から順に、正の屈折力の第１レンズ群と、負の屈折力の第２レンズ群と、正の屈折力の第３レンズ群とからなること；短焦点距離端から長焦点距離端への変倍に際し、第１レンズ群と第２レンズ群の間隔が増加し、第２レンズ群と第３レンズ群の間隔が減少するように、少なくとも第１レンズ群と第３レンズ群が移動すること；第１レンズ群は、物体側から順に、正レンズと、負レンズと、正レンズとからなること；及び次の条件式（１）、（６）を満足すること；を特徴としている。
（１）−５．５＜ｆ１／ｆ２＜−４．５
（６）２．６＜ｆ１／ｆ３＜３．３
但し、
ｆ１：第１レンズ群の焦点距離、
ｆ２：第２レンズ群の焦点距離、
ｆ３：第３レンズ群の焦点距離、
である。
【０００８】
本発明のズームレンズ系は、第３レンズ群が、物体側から順に、正の屈折力の第３ａレンズ群と、負の屈折力の第３ｂレンズ群とからなり、第３ａレンズ群が、１枚または２枚の正レンズと、正レンズと負レンズの接合レンズとからなり、次の条件式（２）を満足することが好ましい。
（２）−０．４＜ｆ３ａ／ｆ３ｂ＜−０．０１
但し、
ｆ３ａ：第３ａレンズ群の焦点距離、
ｆ３ｂ：第３ｂレンズ群の焦点距離、
である。
【０００９】
本発明のズームレンズ系は、条件式（２）が規定する条件式範囲の中でも、次の条件式（２’）を満足することが好ましい。
（２’）−０．３＜ｆ３ａ／ｆ３ｂ＜−０．０１
【００１０】
本発明のズームレンズ系は、第３ａレンズ群が、正単レンズを含み、次の条件式（３）を満足することが好ましい。
（３）Ｎｄ３ｐ１＞Ｎｄ３ｐｂ
但し、
Ｎｄ３ｐ１：第３ａレンズ群中の正単レンズのうち物体側に位置する正単レンズのｄ線に対する屈折率、
Ｎｄ３ｐｂ：第３ａレンズ群中の接合レンズの正レンズのｄ線に対する屈折率、
である。
【００１１】
本発明のズームレンズ系は、第３ａレンズ群が、２枚の正単レンズを含み、次の条件式（４）を満足することが好ましい。
（４）Ｎｄ３ｐ１＞Ｎｄ３ｐ２
但し、
Ｎｄ３ｐ１：第３ａレンズ群中の２枚の正単レンズのうち物体側に位置する正単レンズのｄ線に対する屈折率、
Ｎｄ３ｐ２：第３ａレンズ群中の２枚の正単レンズのうち像側に位置する正単レンズのｄ線に対する屈折率、
である。
【００１２】
本発明のズームレンズ系は、次の条件式（５）を満足することが好ましい。
（５）νｄ３ｐ＞８０
但し、
νｄ３ｐ：第３ａレンズ群中の少なくともいずれかの正レンズのｄ線に対するアッベ数、
である。
【００１３】
第３ａレンズ群と第３ｂレンズ群は、空気間隔が最大の箇所で切り分けられていることが好ましい。
【発明の効果】
【００１４】
本発明によれば、諸収差を良好に補正して優れた光学性能を得ることができるズームレンズ系が得られる。
【図面の簡単な説明】
【００１５】
【図１】本発明によるズームレンズ系の数値実施例１の短焦点距離端における無限遠合焦時のレンズ構成図である。
【図２】図１の構成における諸収差図である。
【図３】図１の構成における横収差図である。
【図４】同数値実施例１の長焦点距離端における無限遠合焦時のレンズ構成図である。
【図５】図４の構成における諸収差図である。
【図６】図４の構成における横収差図である。
【図７】本発明によるズームレンズ系の数値実施例２の短焦点距離端における無限遠合焦時のレンズ構成図である。
【図８】図７の構成における諸収差図である。
【図９】図７の構成における横収差図である。
【図１０】同数値実施例２の長焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の短焦点距離端における無限遠合焦時のレンズ構成図である。
【図１４】図１３の構成における諸収差図である。
【図１５】図１３の構成における横収差図である。
【図１６】同数値実施例３の長焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の短焦点距離端における無限遠合焦時のレンズ構成図である。
【図２０】図１９の構成における諸収差図である。
【図２１】図１９の構成における横収差図である。
【図２２】同数値実施例４の長焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の短焦点距離端における無限遠合焦時のレンズ構成図である。
【図２６】図２５の構成における諸収差図である。
【図２７】図２５の構成における横収差図である。
【図２８】同数値実施例５の長焦点距離端における無限遠合焦時のレンズ構成図である。
【図２９】図２８の構成における諸収差図である。
【図３０】図２８の構成における横収差図である。
【図３１】本発明によるズームレンズ系のズーム軌跡を示す簡易移動図である。
【発明を実施するための形態】
【００１６】
本実施形態のズームレンズ系は、全数値実施例１−５を通じて、図３１の簡易移動図に示すように、物体側から順に、正の屈折力の第１レンズ群Ｇ１と、負の屈折力の第２レンズ群Ｇ２と、正の屈折力の第３レンズ群Ｇ３とからなる。第３レンズ群Ｇ３は、物体側から順に、正の屈折力の第３ａレンズ群Ｇ３ａと、負の屈折力の第３ｂレンズ群Ｇ３ｂとからなる。第３ａレンズ群Ｇ３ａと第３ｂレンズ群Ｇ３ｂは、空気間隔が最大の箇所で切り分けられている。第２レンズ群Ｇ２と第３レンズ群Ｇ３の間（第３レンズ群Ｇ３の直前）には、第３レンズ群Ｇ３と一体に移動する絞りＳが位置している。Ｉは像面である。
【００１７】
本実施形態のズームレンズ系は、短焦点距離端（Ｗｉｄｅ）から長焦点距離端（Ｔｅｌｅ）への変倍に際し、第１レンズ群Ｇ１と第２レンズ群Ｇ２の間隔が増加し、第２レンズ群Ｇ２と第３レンズ群Ｇ３の間隔が減少するように、第１レンズ群Ｇ１ないし第３レンズ群Ｇ３が光軸方向に移動する。より具体的に、短焦点距離端から長焦点距離端への変倍に際し、第１レンズ群Ｇ１と第３レンズ群Ｇ３が単調に物体側に移動し（繰り出され）、第２レンズ群Ｇ２が一旦像側に移動した後に物体側に戻る（Ｕターンする）。ここで、短焦点距離端から長焦点距離端への変倍に際し、少なくとも第１レンズ群Ｇ１と第３レンズ群Ｇ３が光軸方向に移動すればよく、第２レンズ群の挙動には自由度がある（例えば、物体側もしくは像側に単調に移動する態様、または光軸方向に移動せず像面Ｉに対して固定される態様が可能である）。
【００１８】
第１レンズ群Ｇ１は、全数値実施例１−５を通じて、物体側から順に、正レンズ１１と、負レンズ１２と正レンズ１３の接合レンズとからなる。なお、接合レンズの正／負の順は逆でも良い。
【００１９】
第２レンズ群Ｇ２は、数値実施例１では、物体側から順に、正レンズ２１と負レンズ２２の接合レンズと、負レンズ２３とからなる。なお、接合レンズの正／負の順は逆でも良い。
第２レンズ群Ｇ２は、数値実施例２−５では、物体側から順に、負レンズ２１’と正レンズ２２’の接合レンズと、負レンズ２３’とからなる。なお、接合レンズの正／負の順は逆でも良い。
【００２０】
第３ａレンズ群Ｇ３ａは、数値実施例１では、物体側から順に、正レンズ３１と、正レンズ３２と負レンズ３３の接合レンズと、正レンズ３４とからなる。なお、接合レンズの正／負の順は逆でも良い。
第３ａレンズ群Ｇ３ａは、数値実施例２−４では、物体側から順に、正レンズ３１’と、正レンズ３２’と、正レンズ３３’と負レンズ３４’の接合レンズとからなる。なお、接合レンズの正／負の順は逆でも良い。
第３ａレンズ群Ｇ３ａは、数値実施例５では、物体側から順に、正レンズ３１”と、正レンズ３２”と負レンズ３３”の接合レンズとからなる。なお、接合レンズの正／負の順は逆でも良い。
【００２１】
第３ｂレンズ群Ｇ３ｂは、数値実施例１、２、４、５では、物体側から順に、負レンズ３５と、正レンズ３６とからなる。
第３ｂレンズ群Ｇ３ｂは、数値実施例３では、物体側から順に、位置する正レンズ３５’と負レンズ３６’の接合レンズと、正レンズ３７’とからなる。なお、接合レンズの正／負の順は逆でも良い。
【００２２】
本実施形態のズームレンズ系は、第１レンズ群Ｇ１が正レンズ１１と負レンズ１２と正レンズ１３の３枚構成となっている。正負正のいわゆるトリプレットの配置をとることで、球面収差・コマ収差・像面湾曲などを効果的に補正することができる。さらに、真ん中の負レンズ１２と像側の正レンズ１３は、負レンズ１２の曲率の強い面側を正レンズ１３と接合した接合レンズとすることで、製造誤差による性能低下の軽減（いわゆる低感度化）を達成することができる。
【００２３】
本実施形態のズームレンズ系は、第３レンズ群Ｇ３の正の屈折力の第３ａレンズ群Ｇ３ａと負の屈折力の第３ｂレンズ群Ｇ３ｂを、最大空気間隔を挟んで配置した、いわゆるテレフォトタイプのレンズ構成となっている。これにより、レンズ系の小型化に効果があるとともに、第３ａレンズ群Ｇ３ａで球面収差・コマ収差を効果的に補正し、第３ｂレンズ群Ｇ３ｂで像面湾曲・歪曲収差を効果的に補正することができる。第３ａレンズ群Ｇ３ａは、２枚または３枚の正レンズと１枚の負レンズからなり、これにより特に球面収差・コマ収差・色収差を効果的に補正することができる。
【００２４】
条件式（１）は、第１レンズ群Ｇ１の焦点距離と第２レンズ群Ｇ２の焦点距離の比を規定している。条件式（１）を満足することで、特に、短焦点距離端における像面湾曲や歪曲収差と長焦点距離端におけるコマ収差を良好に補正して、優れた光学性能を得ることができる。
条件式（１）の上限を超えると、第１レンズ群Ｇ１のパワーが強くなりすぎて、特に長焦点距離端におけるコマ収差が大きく発生してしまう。
条件式（１）の下限を超えると、第２レンズ群Ｇ２のパワーが強くなりすぎて、特に短焦点距離端における像面湾曲や歪曲収差が大きく発生してしまう。
【００２５】
条件式（２）及び（２’）は、第３ａレンズ群Ｇ３ａの焦点距離と第３ｂレンズ群Ｇ３ｂの焦点距離の比を規定している。条件式（２）を満足することで、球面収差、コマ収差、歪曲収差を良好に補正して、優れた光学性能を得ることができる。この作用効果は条件式（２’）を満足することでより一層顕著に得ることができる。
条件式（２）及び（２’）の上限を超えると、第３ａレンズ群Ｇ３ａのパワーが強くなりすぎて、球面収差、コマ収差の補正が不十分になってしまう。
条件式（２）の下限を超えると、第３ｂレンズ群Ｇ３ｂのパワーが強くなりすぎて、歪曲収差の補正が不十分になってしまう。
【００２６】
本実施形態のズームレンズ系は、第３ａレンズ群Ｇ３ａが、１枚または２枚の正単レンズと、正レンズと負レンズの接合レンズとからなり、且つ、第３ａレンズ群Ｇ３ａ中の最も物体側に正レンズが位置している。
【００２７】
条件式（３）は、第３ａレンズ群Ｇ３ａ中の正単レンズのうち物体側に位置する正単レンズのｄ線に対する屈折率が、第３ａレンズ群Ｇ３ａ中の接合レンズの正レンズのｄ線に対する屈折率よりも大きいことを規定している。
【００２８】
条件式（４）は、第３ａレンズ群Ｇ３ａ中の２枚の正単レンズのうち物体側に位置する正単レンズのｄ線に対する屈折率が、第３ａレンズ群Ｇ３ａ中の２枚の正単レンズのうち像側に位置する正単レンズのｄ線に対する屈折率よりも大きいことを規定している。
【００２９】
第３レンズ群Ｇ３は、負の屈折力の第２レンズ群Ｇ２で発散された光束を収斂するため、特に最も物体側の正レンズにおいて球面収差が発生しやすい。
本実施形態のズームレンズ系は、第３ａレンズ群Ｇ３ａ中の最も物体側に位置する正レンズのｄ線に対する屈折率を最も高く設定することで（例えば条件式（３）と（４）を満足することで）、球面収差を良好に補正して、優れた光学性能を得ることができる。
これに対し、第３ａレンズ群Ｇ３ａ中の最も物体側に位置する正レンズのｄ線に対する屈折率が低い場合（例えば条件式（３）と（４）を満足しない場合）、第３ａレンズ群Ｇ３ａ中の最も物体側に位置する正レンズにおいて大きな球面収差が発生してしまう。
【００３０】
条件式（５）は、第３ａレンズ群Ｇ３ａ中の少なくとも１枚の正レンズを、ｄ線に対するアッベ数が８０を超える低分散な硝材で構成することを規定している。条件式（５）を満足することで軸上色収差を良好に補正することが可能となる。また本実施形態では、条件式（５）を満足する正レンズを、第３ａレンズ群Ｇ３ａ中の接合レンズを構成する正レンズとしている。これにより、球面収差、コマ収差の発生を抑えることができる。
【００３１】
条件式（６）は、第１レンズ群Ｇ１の焦点距離と第３レンズ群Ｇ３の焦点距離の比を規定している。条件式（６）を満足することで、特に長焦点距離端における球面収差、色収差、像面湾曲を良好に補正して、優れた光学性能を得ることができる。
条件式（６）の上限を超えると、第３レンズ群Ｇ３のパワーが強くなりすぎて、特に長焦点距離端で球面収差や色収差が大きく発生してしまう。
条件式（６）の下限を超えると、第１レンズ群Ｇ１のパワーが強くなりすぎて、特に長焦点距離端で像面湾曲が大きく発生してしまう。
【実施例】
【００３２】
次に具体的な数値実施例１−５を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。全数値実施例１−５を通じて、非球面レンズは使用していない。
【００３３】
［数値実施例１］
図１〜図６と表１〜表３は、本発明によるズームレンズ系の数値実施例１を示している。図１は短焦点距離端における無限遠合焦時のレンズ構成図、図２はその諸収差図、図３はその横収差図であり、図４は長焦点距離端における無限遠合焦時のレンズ構成図、図５はその諸収差図、図６はその横収差図である。表１は面データ、表２は各種データ、表３はレンズ群データである。
【００３４】
本数値実施例１のズームレンズ系は、物体側から順に、正の屈折力の第１レンズ群Ｇ１と、負の屈折力の第２レンズ群Ｇ２と、正の屈折力の第３レンズ群Ｇ３とからなる。第３レンズ群Ｇ３は、物体側から順に、正の屈折力の第３ａレンズ群Ｇ３ａと、負の屈折力の第３ｂレンズ群Ｇ３ｂとからなる。第３ａレンズ群Ｇ３ａと第３ｂレンズ群Ｇ３ｂは、空気間隔が最大の箇所で切り分けられている。第２レンズ群Ｇ２と第３レンズ群Ｇ３の間（第３レンズ群Ｇ３の直前）には、第３レンズ群Ｇ３と一体に移動する絞りＳが位置している。
【００３５】
第１レンズ群Ｇ１は、物体側から順に、物体側に凸の正メニスカスレンズ１１と、物体側に凸の負メニスカスレンズ１２と、両凸正レンズ１３とからなる。負メニスカスレンズ１２と両凸正レンズ１３は接合されている。
【００３６】
第２レンズ群Ｇ２は、物体側から順に、像側に凸の正メニスカスレンズ２１と、両凹負レンズ２２と、両凹負レンズ２３とからなる。正メニスカスレンズ２１と両凹負レンズ２２は接合されている。
【００３７】
第３ａレンズ群Ｇ３ａは、物体側から順に、両凸正レンズ３１と、両凸正レンズ３２と、像側に凸の負メニスカスレンズ３３と、物体側に凸の正メニスカスレンズ３４とからなる。両凸正レンズ３２と負メニスカスレンズ３３は接合されている。
【００３８】
第３ｂレンズ群Ｇ３ｂは、物体側から順に、両凹負レンズ３５と、両凸正レンズ３６とからなる。
【００３９】
（表１）
面データ
面番号          R          d          N(d)        ν(d)
1            79.025      4.16       1.48749       70.4
2           193.715      0.10
3            92.843      1.40       1.70154       41.2
4            44.333      7.70       1.49700       81.6
5          -362.429       d5
6          -150.957      2.96       1.84666       23.8
7           -30.746      1.20       1.65160       58.4
8            55.215      2.59
9           -32.061      1.20       1.77250       49.6
10        60205.156       d10
11絞          ∞        0.30
12          799.074      2.69       1.69680       55.5
13          -42.077      0.10
14           73.902      3.60       1.49700       81.6
15          -34.085      1.20       1.90366       31.3
16         -253.531      0.10
17           32.611      2.68       1.60311       60.7
18         2672.399     15.67
19         -188.159      1.20       1.88300       40.8
20           31.177      6.24
21         1034.673      2.74       1.80610       33.3
22          -44.934        -
（表２）
各種データ
ズーム比（変倍比）    4.30
短焦点距離端          中間焦点距離          長焦点距離端
FNO.            4.6                   4.8                   5.9
f             56.06                100.00                241.00
W              14.5                   7.9                   3.3
Y             14.24                 14.24                 14.24
fB            56.34                 59.34                 79.87
L            153.77                180.14                200.00
d5             8.69                 40.53                 60.31
d10           30.91                 22.44                  2.00
（表３）
レンズ群データ
群          始面          焦点距離
1              1            126.32
2              6            -27.69
3             12             39.73
【００４０】
［数値実施例２］
図７〜図１２と表４〜表６は、本発明によるズームレンズ系の数値実施例２を示している。図７は短焦点距離端における無限遠合焦時のレンズ構成図、図８はその諸収差図、図９はその横収差図であり、図１０は長焦点距離端における無限遠合焦時のレンズ構成図、図１１はその諸収差図、図１２はその横収差図である。表４は面データ、表５は各種データ、表６はレンズ群データである。
【００４１】
この数値実施例２のレンズ構成は、以下の点を除き、数値実施例１のレンズ構成と同様である。
（１）第１レンズ群Ｇ１において、正レンズ１１が両凸正レンズからなり、正レンズ１３が物体側に凸の正メニスカスレンズからなる。
（２）第２レンズ群Ｇ２が、物体側から順に、両凹負レンズ２１’と、物体側に凸の正メニスカスレンズ２２’と、両凹負レンズ２３’とからなる。両凹負レンズ２１’と正メニスカスレンズ２２’は接合されている。
（３）第３ａレンズ群Ｇ３ａが、物体側から順に、両凸正レンズ３１’と、物体側に凸の正メニスカスレンズ３２’と、両凸正レンズ３３’と、像側に凸の負メニスカスレンズ３４’とからなる。両凸正レンズ３３’と負メニスカスレンズ３４’は接合されている。
【００４２】
（表４）
面データ
面番号          R          d          N(d)        ν(d)
1            79.022      5.20       1.51633       64.1
2         -1041.901      0.15
3            75.658      2.00       1.80100       35.0
4            42.544      6.40       1.49700       81.6
5           249.394       d5
6          -136.260      1.40       1.71299       53.9
7            17.802      3.20       1.84666       23.8
8            41.388      2.32
9           -34.559      1.10       1.80400       46.6
10         1345.395       d10
11絞           ∞       1.00
12          113.633      2.90       1.60311       60.7
13          -58.266      0.15
14           50.193      2.62       1.58913       61.2
15         1673.903      6.95
16           57.449      3.60       1.49700       81.6
17          -36.444      1.30       1.84666       23.8
18         -165.890     15.76
19         -352.132      1.50       1.83400       37.2
20           34.307      6.63
21           93.637      3.90       1.68893       31.1
22          -48.282        -
（表５）
各種データ
ズーム比（変倍比）    4.75
短焦点距離端          中間焦点距離          長焦点距離端
FNO.            4.5                   4.9                   5.9
f             50.72                100.01                241.00
W              16.1                   7.9                   3.3
Y             14.24                 14.24                 14.24
fB            43.70                 52.13                 74.82
L            160.02                181.71                200.51
d5            16.77                 41.27                 56.41
d10           31.47                 20.23                  1.20
（表６）
レンズ群データ
群          始面          焦点距離
1              1            114.95
2              6            -23.23
3             12             40.31
【００４３】
［数値実施例３］
図１３〜図１８と表７〜表９は、本発明によるズームレンズ系の数値実施例３を示している。図１３は短焦点距離端における無限遠合焦時のレンズ構成図、図１４はその諸収差図、図１５はその横収差図であり、図１６は長焦点距離端における無限遠合焦時のレンズ構成図、図１７はその諸収差図、図１８はその横収差図である。表７は面データ、表８は各種データ、表９はレンズ群データである。
【００４４】
この数値実施例３のレンズ構成は、以下の点を除き、数値実施例１のレンズ構成と同様である。
（１）第１レンズ群Ｇ１の正レンズ１３が物体側に凸の正メニスカスレンズからなる。
（２）第２レンズ群Ｇ２が、物体側から順に、両凹負レンズ２１’と、物体側に凸の正メニスカスレンズ２２’と、像側に凸の負メニスカスレンズ２３’とからなる。両凹負レンズ２１’と正メニスカスレンズ２２’は接合されている。
（３）第３ａレンズ群Ｇ３ａが、物体側から順に、像側に凸の正メニスカスレンズ３１’と、両凸正レンズ３２’と、両凸正レンズ３３’と、像側に凸の負メニスカスレンズ３４’とからなる。両凸正レンズ３３’と負メニスカスレンズ３４’は接合されている。
（４）第３ｂレンズ群Ｇ３ｂが、物体側から順に、両凸正レンズ３５’と、両凹負レンズ３６’と、物体側に凸の正メニスカスレンズ３７’とからなる。両凸正レンズ３５’と両凹負レンズ３６’は接合されている。
【００４５】
（表７）
面データ
面番号          R          d          N(d)        ν(d)
1            85.191      4.75       1.61800       63.4
2           468.494      0.15
3            76.133      2.00       1.90366       31.3
4            48.477      8.00       1.49700       81.6
5           882.414        d5
6          -244.975      1.20       1.69680       55.5
7            20.243      4.30       1.84666       23.8
8            36.679     11.21
9           -37.896      1.10       1.80420       46.5
10         -363.295       d10
11絞           ∞       1.00
12         -370.768      3.10       1.61800       63.4
13          -63.154      0.15
14          133.748      3.00       1.48749       70.4
15         -177.052      0.30
16           28.562      5.10       1.49700       81.6
17          -77.981      1.00       1.84666       23.8
18        -1710.856     26.70
19           38.003      3.00       1.62004       36.3
20          -23.536      1.20       1.83481       42.7
21           22.988      7.70
22           31.950      2.80       1.58144       40.9
23         2948.802        -
（表８）
各種データ
ズーム比（変倍比）    5.09
短焦点距離端          中間焦点距離          長焦点距離端
FNO.            4.2                   4.2                   5.9
f             57.00                150.00                290.01
W              14.5                   5.3                   2.8
Y             14.24                 14.24                 14.24
fB            45.96                 47.66                 85.69
L            168.17                194.31                220.66
d5             2.98                 42.51                 46.01
d10           31.47                 16.38                  1.20
（表９）
レンズ群データ
群          始面          焦点距離
1              1            110.99
2              6            -24.39
3             12             40.36
【００４６】
［数値実施例４］
図１９〜図２４と表１０〜表１２は、本発明によるズームレンズ系の数値実施例４を示している。図１９は短焦点距離端における無限遠合焦時のレンズ構成図、図２０はその諸収差図、図２１はその横収差図であり、図２２は長焦点距離端における無限遠合焦時のレンズ構成図、図２３はその諸収差図、図２４はその横収差図である。表１０は面データ、表１１は各種データ、表１２はレンズ群データである。
【００４７】
この数値実施例４のレンズ構成は、以下の点を除き、数値実施例１のレンズ構成と同様である。
（１）第１レンズ群Ｇ１の正レンズ１３が物体側に凸の正メニスカスレンズからなる。
（２）第２レンズ群Ｇ２が、物体側から順に、両凹負レンズ２１’と、物体側に凸の正メニスカスレンズ２２’と、両凹負レンズ２３’とからなる。両凹負レンズ２１’と正メニスカスレンズ２２’は接合されている。
（３）第３ａレンズ群Ｇ３ａが、物体側から順に、両凸正レンズ３１’と、両凸正レンズ３２’と、両凸正レンズ３３’と、両凹負レンズ３４’とからなる。両凸正レンズ３３’と両凹負レンズ３４’は接合されている。
【００４８】
（表１０）
面データ
面番号          R          d          N(d)        ν(d)
1            77.049      5.00       1.48749       70.2
2           880.280      0.15
3            91.792      2.00       1.72047       34.7
4            47.991      6.60       1.49700       81.6
5           763.605        d5
6           -91.008      1.30       1.69680       55.5
7            19.973      3.10       1.84666       23.8
8            51.160      2.16
9           -46.625      1.10       1.80400       46.6
10          183.868       d10
11絞           ∞       1.00
12          174.453      2.80       1.60311       60.7
13          -59.289      0.15
14           52.505      2.52       1.51633       64.1
15         -167.083      4.81
16           39.260      3.70       1.49700       81.6
17          -59.646      1.30       1.84666       23.8
18          378.236     14.37
19         -171.718      1.50       1.83400       37.2
20           35.826      6.88
21          121.984      3.70       1.68893       31.1
22          -47.807        -
（表１１）
各種データ
ズーム比（変倍比）    4.24
短焦点距離端          中間焦点距離          長焦点距離端
FNO.            4.5                   4.7                   5.9
f             56.90                100.00                241.00
W              14.5                   8.0                   3.3
Y             14.24                 14.24                 14.24
fB            48.15                 52.76                 77.09
L            163.26                181.62                200.09
d5            19.50                 42.64                 57.65
d10           31.47                 22.07                  1.20
（表１２）
レンズ群データ
群          始面          焦点距離
1              1            119.34
2              6            -25.39
3             12             40.53
【００４９】
［数値実施例５］
図２５〜図３０と表１３〜表１５は、本発明によるズームレンズ系の数値実施例５を示している。図２５は短焦点距離端における無限遠合焦時のレンズ構成図、図２６はその諸収差図、図２７はその横収差図であり、図２８は長焦点距離端における無限遠合焦時のレンズ構成図、図２９はその諸収差図、図３０はその横収差図である。表１３は面データ、表１４は各種データ、表１５はレンズ群データである。
【００５０】
この数値実施例５のレンズ構成は、以下の点を除き、数値実施例１のレンズ構成と同様である。
（１）第２レンズ群Ｇ２が、物体側から順に、両凹負レンズ２１’と、物体側に凸の正メニスカスレンズ２２’と、像側に凸の負メニスカスレンズ２３’とからなる。両凹負レンズ２１’と正メニスカスレンズ２２’は接合されている。
（２）第３ａレンズ群Ｇ３ａが、物体側から順に、両凸正レンズ３１”と、両凸正レンズ３２”と、像側に凸の負メニスカスレンズ３３”とからなる。両凸正レンズ３２”と負メニスカスレンズ３３”は接合されている。
【００５１】
（表１３）
面データ
面番号          R          d          N(d)        ν(d)
1           101.147      3.72       1.48749       70.2
2           373.480      0.15
3            80.388      2.00       1.72047       34.7
4            43.691      7.08       1.49700       81.6
5          -315.517        d5
6           -77.362      1.30       1.69680       55.5
7            17.344      3.10       1.84666       23.8
8            38.842      3.17
9           -40.449      1.10       1.80400       46.6
10         -452.200       d10
11絞           ∞       1.00
12           81.539      2.81       1.61800       63.4
13          -43.026      0.20
14           31.138      4.72       1.49700       81.6
15          -38.985      2.00       1.90366       31.3
16         -306.901     23.05
17         -148.634      1.50       1.83481       42.7
18           26.060      3.72
19           38.772      3.39       1.57501       41.5
20          -40.610        -
（表１４）
各種データ
ズーム比（変倍比）    4.41
短焦点距離端          中間焦点距離          長焦点距離端
FNO.            4.5                   4.7                   6.1
f             56.90                100.00                250.69
W              14.3                   7.9                   3.2
Y             14.24                 14.24                 14.24
fB            50.27                 54.33                 78.41
L            155.29                177.03                199.74
d5            12.89                 38.12                 55.37
d10           28.12                 20.57                  1.96
（表１５）
レンズ群データ
群          始面          焦点距離
1              1            112.61
2              6            -23.96
3             12             38.25
【００５２】
各数値実施例の各条件式に対する値を表１６に示す。
（表１６）
実施例１         実施例２         実施例３
条件式（１）      -4.56            -4.95            -4.55
条件式（２）      -0.29            -0.02            -0.23
条件式（３）
Ｎｄ３ｐ１       1.69680          1.60311          1.61800
Ｎｄ３ｐｂ       1.49700          1.49700          1.49700
条件式（４）
Ｎｄ３ｐ１       1.69680          1.60311          1.61800
Ｎｄ３ｐ２       1.49700          1.58913          1.48749
条件式（５）      81.61            81.61            81.61
条件式（６）       3.18             2.85             2.75
実施例４         実施例５
条件式（１）      -4.70           -4.70
条件式（２）      -0.11           -0.13
条件式（３）
Ｎｄ３ｐ１       1.60311          1.61800
Ｎｄ３ｐｂ       1.49700          1.49700
条件式（４）
Ｎｄ３ｐ１       1.60311          1.61800
Ｎｄ３ｐ２       1.51633          1.49700
条件式（５）      81.61            81.61
条件式（６）       2.94             2.94
【００５３】
表１６から明らかなように、数値実施例１〜数値実施例５は、条件式（１）〜条件式（６）を満足しており、諸収差図及び横収差図から明らかなように、諸収差及び横収差は比較的よく補正されている。
【００５４】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【００５５】
本発明のズームレンズ系は、別の態様では、物体側から順に、正の屈折力の第１レンズ群と、負の屈折力の第２レンズ群と、正の屈折力の第３レンズ群とからなること；短焦点距離端から長焦点距離端への変倍に際し、第１レンズ群と第２レンズ群の間隔が増加し、第２レンズ群と第３レンズ群の間隔が減少するように、少なくとも第１レンズ群と第３レンズ群が移動すること；第３レンズ群は、物体側から順に、正の屈折力の第３ａレンズ群と、負の屈折力の第３ｂレンズ群とからなること；第３ａレンズ群は、１枚または２枚の正レンズと、正レンズと負レンズの接合レンズとからなること；及び次の条件式（１）、（６）を満足すること；を特徴としている。
（１）−５．５＜ｆ１／ｆ２＜−４．５
（６）２．６＜ｆ１／ｆ３＜３．３
但し、
ｆ１：第１レンズ群の焦点距離、
ｆ２：第２レンズ群の焦点距離、
ｆ３：第３レンズ群の焦点距離、
である。
【００５６】
本発明のズームレンズ系は、さらに別の態様では、物体側から順に、正の屈折力の第１レンズ群と、負の屈折力の第２レンズ群と、正の屈折力の第３レンズ群とからなること；短焦点距離端から長焦点距離端への変倍に際し、第１レンズ群と第２レンズ群の間隔が増加し、第２レンズ群と第３レンズ群の間隔が減少するように、少なくとも第１レンズ群と第３レンズ群が移動すること；第１レンズ群は、物体側から順に、正レンズと、負レンズと、正レンズとからなること；及び次の条件式（１）、（６）を満足すること；を特徴としている。
（１）−５．５＜ｆ１／ｆ２＜−４．５
（６）２．６＜ｆ１／ｆ３＜３．３
但し、
ｆ１：第１レンズ群の焦点距離、
ｆ２：第２レンズ群の焦点距離、
ｆ３：第３レンズ群の焦点距離、
である。
【００５７】
これらの別の態様のズームレンズ系は、上述した本発明の条件式（２）−（５）を満足することが好ましい。
【符号の説明】
【００５８】
Ｇ１  正の屈折力の第１レンズ群
１１  正レンズ
１２  負レンズ
１３  正レンズ
Ｇ２  負の屈折力の第２レンズ群
２１  正レンズ
２２  負レンズ
２３  負レンズ
２１’  負レンズ
２２’  正レンズ
２３’  負レンズ
Ｇ３  正の屈折力の第３レンズ群
Ｇ３ａ  正の屈折力の第３ａレンズ群
３１  正レンズ
３２  正レンズ
３３  負レンズ
３４  正レンズ
３１’  正レンズ
３２’  正レンズ
３３’  正レンズ
３４’  負レンズ
３１”  正レンズ
３２”  正レンズ
３３”  負レンズ
Ｇ３ｂ  負の屈折力の第３ｂレンズ群
３５  負レンズ
３６  正レンズ
３５’  正レンズ
３６’  負レンズ
３７’  正レンズ
Ｓ  絞り
Ｉ  像面
【図１】
2020008882.tif 000003
【図２】
2020008882.tif 000004
【図３】
2020008882.tif 000005
【図４】
2020008882.tif 000006
【図５】
2020008882.tif 000007
【図６】
2020008882.tif 000008
【図７】
2020008882.tif 000009
【図８】
2020008882.tif 000010
【図９】
2020008882.tif 000011
【図１０】
2020008882.tif 000012
【図１１】
2020008882.tif 000013
【図１２】
2020008882.tif 000014
【図１３】
2020008882.tif 000015
【図１４】
2020008882.tif 000016
【図１５】
2020008882.tif 000017
【図１６】
2020008882.tif 000018
【図１７】
2020008882.tif 000019
【図１８】
2020008882.tif 000020
【図１９】
2020008882.tif 000021
【図２０】
2020008882.tif 000022
【図２１】
2020008882.tif 000023
【図２２】
2020008882.tif 000024
【図２３】
2020008882.tif 000025
【図２４】
2020008882.tif 000026
【図２５】
2020008882.tif 000027
【図２６】
2020008882.tif 000028
【図２７】
2020008882.tif 000029
【図２８】
2020008882.tif 000030
【図２９】
2020008882.tif 000031
【図３０】
2020008882.tif 000032
【図３１】
2020008882.tif 000033